(57)【特許請求の範囲】
【請求項１】
ユーザーによって所持される知能端末デバイスにおいて、ナビアプリが正常な経路誘導ロジックで目標車両又は前記ユーザーに経路誘導を行っている間に、
前記知能端末デバイスにおいて、ナビアプリ接続モジュールが、前記ナビアプリと接続を構築し、
前記知能端末デバイスにおいて、経路誘導データ獲得モジュールが、前記ナビアプリから地図データ及び誘導経路データを含んでいる経路誘導データを獲得し、
前記知能端末デバイスにおいて、経路誘導データ配布モジュールが、前記経路誘導データを特定のデータサービスインターフェースへ配布して、前記データサービスインターフェースに接続した応用デバイスであって前記ユーザーによって所持される前記応用デバイスが前記経路誘導データを獲得するようにする
経路誘導方法。
【請求項２】
前記知能端末デバイスにおいて、前記経路誘導データ配布モジュールが、前記経路誘導データを前記データサービスインターフェースへ配布し、前記応用デバイスが前記データサービスインターフェースから配布される前記経路誘導データをモニターすることによって前記経路誘導データを主動的に獲得するようにする
請求項１に記載の経路誘導方法。
【請求項３】
さらに、
経路誘導命令受信モジュールが、前記データサービスインターフェースを介して前記応用デバイスから発送した経路誘導操作命令を受信し、
経路誘導命令転送モジュールが、前記ナビアプリと構築した接続によって、前記経路誘導操作命令を前記ナビアプリへ発送して、前記ナビアプリに前記経路誘導操作命令を処理させる
請求項１又は２に記載の経路誘導方法。
【請求項４】
さらに、
注文送受信モジュールが、前記データサービスインターフェースが前記応用デバイスの経路誘導サービスを注文する要求を受信することによって、前記経路誘導サービスを注文する要求に従い前記データサービスインターフェースを介して経路誘導データを前記応用デバイスへ発送する
請求項１から３の何れか一項に記載の経路誘導方法。
【請求項５】
ユーザーによって所持される知能端末デバイスにおいて、ナビアプリが正常な経路誘導ロジックで目標車両又は前記ユーザーに経路誘導を行っている間に、
前記ユーザーによって所持される応用デバイスにおいて、サービスインターフェース接続モジュールが、前記知能端末デバイスのデータサービスインターフェースと接続を構築し、
前記応用デバイスにおいて、経路誘導データ獲得モジュールが、前記データサービスインターフェースを介して地図データ及び誘導経路データを含んでいる経路誘導データを獲得し、前記経路誘導データは前記知能端末デバイスが前記ナビアプリから獲得したものであり、
前記応用デバイスにおいて、経路誘導実行モジュールが、前記経路誘導データに基づいて経路誘導を行う、
経路誘導方法。
【請求項６】
前記応用デバイスが前記データサービスインターフェースから配布される前記経路誘導データをモニターすることによって前記経路誘導データを主動的に獲得する
請求項５に記載の経路誘導方法。
【請求項７】
さらに、
経路誘導検索受信モジュールが、ユーザーが入力した経路誘導検索情報を受信し、
経路誘導命令生成モジュールが、前記経路誘導検索情報に基づいて経路誘導操作命令を生成し、
経路誘導命令発送モジュールが、前記経路誘導操作命令を前記知能端末デバイスのデータサービスインターフェースに発送する
請求項５又は６に記載の経路誘導方法。
【請求項８】
さらに
注文要求発送モジュールが、前記データサービスインターフェースへ経路誘導データを注文する要求を発送し、
前記経路誘導データ獲得モジュールが、前記データサービスインターフェースを介して前記知能端末デバイスが発送した経路誘導データを受信する
請求項５から７の何れか一項に記載の経路誘導方法。
【請求項９】
ユーザーによって所持される知能端末デバイスであって、
前記知能端末デバイスにおいて、ナビアプリが正常な経路誘導ロジックで目標車両又は前記ユーザーに経路誘導を行っている間に、
前記ナビアプリと接続を構築するナビアプリ接続モジュールと、
前記ナビアプリから地図データ及び誘導経路データを含んでいる経路誘導データを獲得する経路誘導データ獲得モジュールと、
前記経路誘導データを特定のデータサービスインターフェースへ配布して、前記データサービスインターフェースに接続した応用デバイスであって前記ユーザーによって所持される前記応用デバイスが前記経路誘導データを獲得するようにする経路誘導データ配布モジュールと、を含む
知能端末デバイス。
【請求項１０】
前記経路誘導データ配布モジュールは、記経路誘導データを前記データサービスインターフェースへ配布して、前記応用デバイスが前記データサービスインターフェースから配布される前記経路誘導データをモニターすることによって前記経路誘導データを主動的に獲得するようにする
請求項９に記載の知能端末デバイス。
【請求項１１】
さらに、
前記データサービスインターフェースを介して前記応用デバイスから発送した経路誘導操作命令を受信する経路誘導命令受信モジュールと、
前記ナビアプリと構築した接続によって、前記経路誘導操作命令を前記ナビアプリへ発送して、前記ナビアプリに前記経路誘導操作命令を処理させる経路誘導命令転送モジュールとを含む
請求項９又は１０に記載の知能端末デバイス。
【請求項１２】
さらに、
前記データサービスインターフェースが前記応用デバイスの経路誘導サービスを注文する要求を受信することによって、前記経路誘導サービスを注文する要求に従い前記データサービスインターフェースを介して経路誘導データを応用デバイスへ発送する注文送受信モジュールを含む
請求項９から１１の何れか一項に記載の知能端末デバイス。
【請求項１３】
ユーザーによって所持されるウェアラブルデバイスであって、
前記ユーザーによって所持される知能端末デバイスにおいて、ナビアプリが正常な経路誘導ロジックで目標車両又は前記ユーザーに経路誘導を行っている間に、
前記知能端末デバイスのデータサービスインターフェースと接続を構築するサービスインターフェース接続モジュールと、
前記データサービスインターフェースを介して前記知能端末デバイスが前記ナビアプリから獲得した地図データ及び誘導経路データを含んでいる経路誘導データを獲得する経路誘導データ獲得モジュールと、
前記経路誘導データに基づいて経路誘導を行う経路誘導実行モジュールと、を含む
ウェアラブルデバイス。
【請求項１４】
前記経路誘導データ獲得モジュールは、前記データサービスインターフェースから配布される前記経路誘導データをモニターすることによって、前記経路誘導データを主動的に獲得する
請求項１３に記載のウェアラブルデバイス。
【請求項１５】
さらに、
ユーザーが入力した経路誘導検索情報を受信する経路誘導検索受信モジュールと、
前記経路誘導検索情報に基づいて経路誘導操作命令を生成する経路誘導命令生成モジュールと、
前記経路誘導操作命令を前記知能端末デバイスのデータサービスインターフェースに発送する経路誘導命令発送モジュールと、を含む
請求項１３又は１４に記載のウェアラブルデバイス。
【請求項１６】
さらに、
前記データサービスインターフェースへ経路誘導データを注文する要求を発送する注文要求発送モジュールを含み、
前記経路誘導データ獲得モジュールは、さらに前記データサービスインターフェースを介して前記知能端末デバイスが発送した経路誘導データを受信する
請求項１３から１５の何れか一項に記載のウェアラブルデバイス。
【発明の詳細な説明】
【技術分野】
【０００１】
本発明は、情報処理技術に関し、特に、経路誘導方法、知能端末デバイス及びウェアラブルデバイスに関する。
【背景技術】
【０００２】
車載ネットワーキングの発展及びウェアラブルデバイス（知能腕時計、知能眼鏡）の興行に連れて、経路誘導情報をこれらの製品に利用するのは必然な趨勢になっている。現在、ヘッドアップディスプレイ（Head Up Display、HUD）で経路誘導情報を表示するには二つの方式がある。一つは、経路誘導機能を集積したソフトウェア開発キット（Software Development Kit、SDK）で経路の演算、経路誘導などの機能を含むAPPを開発してHUDに接続することで、即ち、経路誘導APPにHUDプラグインパッケージを集積し、HUD表示のロジックを加入して経路誘導機能を実現する。他の一つの方式は、車載デバイスで直接に簡単化した経路誘導APPを実行して経路誘導機能を実現する。以上の二つの方式は、何れも例えば知能腕時計などの応用デバイスのようなウェアラブルデバイスに適用できる。
【０００３】
しかし、従来技術案には以下の問題が存在している。先ず、経路誘導SDKを利用するコストが高く、開発者が経路誘導業務をよく知っている必要があり、経路誘導レーダー（RD）から技術的に支援しなければならない。次に、SDKバージョンのアップデートが比較的に遅く、遅延しており、新たなバージョンの特性が直ぐに製品に適用できない。また、経路誘導プラグインパッケージを利用すると学習コストが高く、プラグインパッケージは検査過程を経る必要があり、従来のプラグインパッケージは全部経路誘導のRD開発を集積したもので、大量の人力でメンテナンスを行う必要がある。最後に、応用デバイスで直接に経路誘導APPを実行させるコストが高く、経路誘導情報のアップデートが遅延している。
【発明の概要】
【発明が解決しようとする課題】
【０００４】
本発明の実施例は、経路誘導方法、知能端末デバイス及びウェアラブルデバイスを提供して、従来の経路誘導APPとウェアラブルデバイスのような応用デバイスの間で経路誘導サービスに対するデータ伝送方法を提供し、さらに、応用デバイスに便利で、低いコストで経路誘導データを提供する。
【０００５】
上記の目的を実現するために、本発明の実施例は、ナビアプリと接続を構築し、前記ナビアプリから経路誘導データを獲得し、前記経路誘導データを特定したデータサービスインターフェースへ配布して、前記データサービスインターフェースに接続した応用デバイスが前記経路誘導データを獲得するようにする経路誘導方法を提供する。
【０００６】
さらに、前記方法は、さらに、前記データサービスインターフェースを介して前記応用デバイスから発送した経路誘導操作命令を受信し、前記ナビアプリと構築した接続によって、前記経路誘導操作命令を前記ナビアプリへ発送して、前記ナビアプリに前記経路誘導操作命令を処理させる。
【０００７】
好ましいのは、前記方法は、さらに、前記データサービスインターフェースが前記応用デバイスの経路誘導サービスを注文する要求を受信することによって、前記経路誘導サービスを注文する要求に従い前記データサービスインターフェースを介して経路誘導データを応用デバイスへ発送する。
【０００８】
本発明の実施例は、さらに、知能端末デバイスのデータサービスインターフェースと接続を建築し、前記データサービスインターフェースを介して経路誘導データを獲得し、前記経路誘導データは前記知能端末デバイスがナビアプリから獲得したものであり、前記経路誘導データに基づいて経路誘導を行う他の経路誘導方法を提供する。
【０００９】
好ましいのは、前記方法は、さらに、ユーザーが入力した経路誘導検索情報を受信し、前記経路誘導検索情報に基づいて経路誘導操作命令を生成し、前記経路誘導操作命令を前記知能端末デバイスのデータサービスインターフェースに発送する。
【００１０】
さらに、前記方法は、さらに前記データサービスインターフェースへ経路誘導データを注文する要求を発送し、前記データサービスインターフェースを介して前記知能端末デバイスが発送した経路誘導データを受信する。
【００１１】
本発明の実施例は、さらに、ナビアプリと接続を構築するナビアプリ接続モジュールと、前記ナビアプリから経路誘導データを獲得する経路誘導データ獲得モジュールと、前記経路誘導データを特定したデータサービスインターフェースへ配布して、前記データサービスインターフェースに接続した応用デバイスが前記経路誘導データを獲得するようにする経路誘導データ配布モジュールとを含む知能端末デバイスを提供する。
【００１２】
さらに、前記知能端末デバイスは、さらに、前記データサービスインターフェースを介して前記応用デバイスから発送した経路誘導操作命令を受信する経路誘導命令受信モジュールと、前記ナビアプリと構築した接続によって、前記経路誘導操作命令を前記ナビアプリへ発送して、前記ナビアプリに前記経路誘導操作命令を処理させる経路誘導命令転送モジュールとを含む。
【００１３】
好ましいのは、前記知能端末デバイスは、さらに、前記データサービスインターフェースが前記応用デバイスの経路誘導サービスを注文する要求を受信することによって、前記経路誘導サービスを注文する要求に従い前記データサービスインターフェースを介して経路誘導データを応用デバイスへ発送する注文送受信モジュールを含む。
【００１４】
本発明の実施例は、さらに、知能端末デバイスのデータサービスインターフェースと接続を建築するサービスインターフェース接続モジュールと、前記データサービスインターフェースを介して前記知能端末デバイスがナビアプリから獲得した経路誘導データを獲得する経路誘導データ獲得モジュールと、前記経路誘導データに基づいて経路誘導を行う経路誘導実行モジュールとを含むウェアラブルデバイスを提供する。
【００１５】
好ましいのは、前記ウェアラブルデバイスは、さらに、ユーザーが入力した経路誘導検索情報を受信する経路誘導検索受信モジュールと、前記経路誘導検索情報に基づいて経路誘導操作命令を生成する経路誘導命令生成モジュールと、前記経路誘導操作命令を前記知能端末デバイスのデータサービスインターフェースに発送する経路誘導命令発送モジュールとを含む。
【００１６】
さらに、前記ウェアラブルデバイスは、さらに、前記データサービスインターフェースへ経路誘導データを注文する要求を発送する注文要求発送モジュールを含み、前記経路誘導データ獲得モジュールは、さらに前記データサービスインターフェースを介して前記知能端末デバイスが発送した経路誘導データを受信する。
【００１７】
本発明の実施例で提供する経路誘導方法、知能端末デバイス及びウェアラブルデバイスは、知能端末デバイスで特定のデータサービスインターフェースを設立し、ナビアプリから獲得した経路誘導データをデータサービスインターフェースを介して配布することにより、第三方の応用デバイスとするウェアラブルデバイスが当該経路誘導データを獲得して経路誘導操作を行うようにする。本方案は、ユーザーに例えば車載デバイス、ウェアラブルデバイスなどの第三方の応用デバイスで経路誘導の経路演算ロジックを自己的に実行しない場合に、知能端末デバイスから便宜で快速に必要な経路誘導データを獲得して経路誘導を行うようにする。
【図面の簡単な説明】
【００１８】
【図１】図1は、本発明で提供する経路誘導方法の一実施例の方法フローチャートである。
【図２】図2は、本発明で提供する経路誘導方法の他の一実施例の方法フローチャートである。
【図３】図3は、本発明で提供する応用デバイスが獲得した経路誘導データに対して経路誘導表示を行う一つの例を示す図である。
【図４】図4は、本発明で提供する獲得した経路誘導データに対して経路誘導表示を行う他の一の例を示す図である。
【図５】図5は、本発明で提供する経路誘導方法の他の一実施例の方法フローチャートである。
【図６】図6は、本発明で提供する知能端末デバイスの一実施例の構成模式図である。
【図７】図7は、本発明で提供する知能端末デバイスの他の一実施例の構成模式図である。
【図８】図8は、本発明で提供するウェアラブルデバイスの一実施例の構成模式図である。
【図９】図9は、本発明で提供するウェアラブルデバイスの他の一実施例の構造模式図である。
【発明を実施するための形態】
【００１９】
本発明の基本な発明の構造は、知能端末デバイスで経路誘導データの提供及び獲得に専用的に用いるデータサービスインターフェースを構築し、ナビアプリと接続を構築して経路誘導データを獲得することによって、前記データサービスインターフェースを介して経路誘導データを配布し、前記データサービスインターフェースに接続した応用デバイスが経路誘導データを獲得するようにして、知能端末デバイスと応用デバイスとの間で経路誘導データサービスに専用するネットワーク方案を構築する。
【００２０】
実施例一
図1は、本発明で提供する経路誘導方法の一个実施例の方法フローチャートであり、当該方法の実行主体は、例えば携帯電話、Ipad（登録商標）、パソナルコンピュータなどの知能端末デバイスであってもよく、上記知能端末デバイスでは、さらに例えば百度地図などのナビアプリが実行されている。
【００２１】
図1を参照すると、ステップS110で、ナビアプリと接続を構築する。
【００２２】
知能端末デバイスとナビアプリはデータチャネルを構築することによって接続することができ、例えばナビアプリが内部のデータインターフェースを介して経路誘導に関連する情報を知能端末デバイスに設置した特定のソフトウェアのクライアント端末、プラグインパッケージ又はデバイスに伝送して、データ交換を完了する。
【００２３】
ステップS120で、ナビアプリから経路誘導データを獲得する。
【００２４】
例えば、クライアント端末とナビアプリが接続を構築してから、ナビアプリは依然として正常な経路誘導ロジックで目標車両又はユーザーに経路誘導を行い、クライアント端末は、ナビアプリが実時間に生成した経路誘導の情報をモニターし、知能端末デバイス自身のデータ呼び出し機能によって関連する経路誘導データを得、または、ナビアプリが内部のデータインターフェースを介して、定期的に又はクライアント端末によってトリガーされてクライアント端末に既に生成した経路誘導データを発送する。ここで、クライアント端末がナビアプリから経路誘導データを獲得する具体的な方式を限定しない。
【００２５】
ここで、上記の経路誘導データは、地図データ及び誘導経路データを含んでいるのが好ましい。例えば、誘導経路データは、さらに、具体的に、方向変換アイコン、速度制限、電子センサーまでの距離、目標地までのキロメートル数、次の方向変換までの距離、現在時速などを含んでいてもよい。
【００２６】
ステップS130で、経路誘導データを特定したデータサービスインターフェースへ配布して、前記データサービスインターフェースに接続した応用デバイスが前記経路誘導データを獲得するようにする。
【００２７】
クライアント端末は経路誘導データを獲得してから、知能端末デバイスに設置した特定のデータサービスインターフェースを介して、経路誘導データを知能端末デバイスの以外に配布する。例えば、クライアント端末は、放送の方式で経路誘導データを配布することができ、応用デバイスがデータサービスインターフェースに接続された時、データサービスインターフェースのデータ配布をモニターすることによって、経路誘導データを主動的に獲得でき、または、応用デバイスがクライアント端末又はナビアプリで予めに経路誘導サービスを注文し、クライアント端末がナビアプリから経路誘導データを獲得してから、経路誘導データをデータサービスインターフェースを介して経路誘導サービスを注文した各応用デバイスに発送すればよい。ここで、応用デバイスがデータサービスインターフェースから経路誘導データを獲得する方式は限定されていない。
【００２８】
ここで、上記の応用デバイスは、車載デバイスとウェアラブルデバイスを含んでいてもよく、例えば、ウェアラブルデバイスは、具体的に知能眼鏡、知能手表などを含んでいてもよい。前記の応用デバイスは、図2に示す実施例における応用デバイスであってもよい。
【００２９】
上述データサービスインターフェースは、ブルートゥース、赤外線、無線WiFi、有線接続におけるいずれかの一つを介して上記応用デバイスと接続を構築でき、データ伝送を完了できる。
【００３０】
本発明の実施例で提供する経路誘導方法は、知能端末デバイスを実行主体とし、本デバイスで実行されるナビアプリと接続を構築して経路誘導データを獲得し、経路誘導データをデータサービスインターフェースを介して配布して、データサービスインターフェースに接続した応用デバイスが経路誘導データを獲得するようにして、知能端末デバイスと応用デバイスとの間で経路誘導データサービスに専用するネットワーク方案を提供し、応用デバイスに経路誘導データを提供する。
【００３１】
実施例二
図2は、本発明で提供する経路誘導方法の他の一実施例の方法フローチャートであり、当該方法の実行主体は、音声プレイ、画像表示などのいろいろなメディア機能を備える例えば車載デバイス、ウェアラブルデバイスなどの応用デバイスであってもよい。
【００３２】
図2を参照すると、ステップS210で、知能端末デバイスのデータサービスインターフェースと接続を構築する。
【００３３】
本実施例は、知能端末デバイスでナビアプリを実行する以外に、伝送経路誘導に関連する情報に専用するデータサービスインターフェースを設置した。知能端末デバイスから経路誘導に関連する情報を獲得するために、応用デバイスは先にデータサービスインターフェースとの間で接続を構築する必要がある。応用デバイスは、データサービスインターフェースとの間で、ブルートゥース、赤外線、無線WiFi、有線接続におけるいずれの一方式で接続を構築してもよく、これによってデータ伝送チャネルを組み立てる。
【００３４】
ステップS220で、データサービスインターフェースを介して経路誘導データを獲得し、前記経路誘導データは知能端末デバイがナビアプリから獲得したものである。
【００３５】
知能端末デバイスに設置したナビアプリは経路誘導データを生成すると、上記のデータサービスインターフェースを介して経路誘導データを配布することができ、これによって応用デバイスが経路誘導データを獲得するようにする。
【００３６】
具体的に、知能端末デバイスは、図1に示す方法のステップを実行して経路誘導データを獲得してから、上記の特定のデータサービスインターフェースを介して経路誘導データを端末デバイスの以外に配布する。例えば、知能端末デバイスは、放送の方式で経路誘導データを配布し、データサービスインターフェースに接続した応用デバイスがある場合は、データサービスインターフェースのデータ配布をモニターして経路誘導データを主動的に獲得し、または、応用デバイスが予めに特定のクライアント端末又はナビアプリで経路誘導サービスを注文し、知能端末デバイスがナビアプリから経路誘導データを獲得すると、経路誘導データをデータサービスインターフェースを介して経路誘導サービスを注文した各応用デバイスに発送すればよい。ここで、応用デバイスがデータサービスインターフェースから経路誘導データを獲得する方式は限定していない。
【００３７】
ここで、上記の経路誘導データは、地図データと誘導経路データを含んでいてもよい。例えば、誘導経路データは、具体的に、方向変換アイコン、速度制限、電子センサーまでの距離、目標地までのキロメートル数、次の方向変換までの距離、現在時速などを含んでいてもよい。
【００３８】
ステップS230で、経路誘導データに基づいて経路誘導を行う。
【００３９】
応用デバイスは、経路誘導データを獲得してから、内蔵又は外部接続した例えば画像表示モジュール、音声モジュールなどを介して前記経路誘導データを表示し、ユーザーに見せ又は視聴させて、ユーザーに対する経路誘導を実行する。例えば、図3と図4で、それぞれ応用デバイスが獲得した経路誘導データに対して経路誘導表示を行う例を示した。ここで、図3は、車載デバイスに内蔵したHUDで経路誘導データを表示するもので、図4は、知能手表が目盛板で経路誘導データを表示したものである。上記の応用デバイスで実行する各ロジック操作も応用デバイスに内蔵したAppで実行されるのは理解できるものである。
【００４０】
本発明の実施例で提供する経路誘導方法は、応用デバイスを実行主体とし、即ち、応用デバイスと知能端末デバイスのデータサービスインターフェースと接続を構築して、当該データサービスインターフェースが配布した経路誘導データを獲得し、経路誘導データに基づいてユーザーに経路誘導を行うとともに、知能端末デバイスと応用デバイスとの間で経路誘導データサービスに専用するネットワーク法案を構築して、知能端末デバイスから経路誘導データを獲得する。
【００４１】
実施例三
図5は、本発明で提供する経路誘導方法のもう一つの実施例の方法フローチャートであり、当該方法の実行主体は、図1に示す実施例における知能端末デバイス及び図2に示す実施例における応用デバイスに関する。図5示すように、本実施例に示す方法は、図1と図2に示す実施例を結合した経路誘導方法の詳細な実現方式である。
【００４２】
図5を参照すると、ステップS510で、本デバイスのナビアプリを起動し、知能端末デバイスがナビアプリと接続を構築する。ステップS510の処理過程は、前記ステップS110の処理過程に類似する。
【００４３】
ここで、本デバイスナビアプリを起動するのは、ユーザーが直接に知能端末デバイスの操作システムで起動し、又は特定のクライアント端末を起動してから、該当クライアント端末がナビアプリをトリガーして起動する。
【００４４】
ステップS520で、応用デバイスが知能端末デバイスのデータサービスインターフェースと接続を建築し、ステップS520の処理過程は、前記ステップS210の処理過程と同じである。
【００４５】
ステップS530で、知能端末デバイスは、データサービスインターフェースを介して応用デバイスが発送した経路誘導操作命令を受信する。
【００４６】
具体的に、応用デバイスが内蔵した特定のソフトウェアクライアント端末を利用し、データサービスインターフェースを介して応用デバイスに経路誘導データを発送する操作は、応用デバイスがデータサービスインターフェースを介してクライアント端末に経路誘導操作命令を発送してトリガーして実行させる。ここで、応用デバイスが経路誘導操作命令を生成し発送するステップは、以下のステップを含む。
【００４７】
ステップ1、応用デバイスがユーザーの入力した経路誘導検索情報を受信する。例えば、ユーザーが応用デバイスが提供する経路誘導検索インターフェース又は操作ボタンを利用して、直接に入力又は音声で入力する了解しようとする経路誘導検索情報は、経路誘導地図及び/又は誘導経路に関連する検索情報を含んでいてもよい。
【００４８】
ステップ2、応用デバイスが経路誘導検索情報に基づいて経路誘導操作命令を生成する。例えば、応用デバイスは経路誘導検索情報を分析処理して、ナビアプリが識別し操作可能な経路誘導操作命令を形成する。該当経路誘導操作命令は経路演算を一回実行させる操作命令、又は地理領域を探索させる操作命令などであってもよい。
【００４９】
ステップ3、応用デバイスが経路誘導操作命令を知能端末デバイスのデータサービスインターフェースに発送して、クライアント端末がデータサービスインターフェースを介して該当経路誘導操作命令を受信するようにし、相応する経路誘導データを獲得するようにする。
【００５０】
ステップS540で、知能端末デバイスは、ナビアプリと構築した接続を介して経路誘導操作命令をナビアプリに発送して、ナビアプリに経路誘導操作命令を処理させる。
【００５１】
具体的に、ナビアプリは、経路誘導操作命令を受信してから、命令を解析し、実行しようとする経路誘導操作を抽出して、内部経路誘導ロジックによって相応する経路誘導操作を実行して、相応する経路誘導データを生成する。
【００５２】
ステップS550で、知能端末デバイスはナビアプリから経路誘導データを獲得する。ステップS550の処理過程は、前記ステップS120の処理過程と同じである。
【００５３】
ステップS560で、知能端末デバイスは経路誘導データを特定のデータサービスインターフェースに配布する。ステップS560の処理過程は、前記ステップS130の処理過程と同じである。
【００５４】
ステップS570で、応用デバイスはデータサービスインターフェースを介して経路誘導データを獲得する。ステップS570の処理過程は、前記ステップS220の処理過程に類似する。
【００５５】
具体的に、応用デバイスは、データサービスインターフェースのデータフローをモニターして、経路誘導データが配布されたかを判断し、その後にモニターした経路誘導データを集中して獲得してもよい。
【００５６】
または、応用デバイスは、まずデータサービスインターフェースに経路誘導サービスを注文する要求を発送して、経路誘導サービスを注文してもよい。知能端末デバイスは、データサービスインターフェースから経路誘導サービスを注文する要求を受信してから、この要求を発送した応用デバイスを経路誘導サービスの対象とする。
【００５７】
これに対応して、知能端末デバイスはナビアプリから経路誘導データを獲得すると、データサービスインターフェースを介して直接に相応する経路誘導サービスを注文した応用デバイスに発送して、応用デバイスに主動的に経路誘導データを配布する。
【００５８】
ステップS580で、応用デバイスは経路誘導データに基づいて経路誘導を行う。ステップS580の処理過程は、与前記ステップS230の処理過程と同じである。
【００５９】
本発明の実施例で提供する経路誘導方法は、知能端末デバイス及び第三方の応用デバイスを実行主体とし、応用デバイスで経路誘導データを提供する実現方案を示した。図1と図2を結合した上で、本実施例は、知能端末デバイスが受信した経路誘導操作命令に基づいてナビアプリから経路誘導データを獲得し、経路誘導サービスを注文する要求を受信することによって経路誘導データを配布する実現方式と、応用デバイスが経路誘導操作命令を生成し、経路誘導操作命令を利用して経路誘導データ獲得し、経路誘導サービスを注文する要求をデータサービスインターフェースに発送して経路誘導データを獲得する実現方式を示した。これらのステップの増加によって、知能端末デバイスから経路誘導データを提供し獲得するのがより便利で、快速になる。
【００６０】
実施例四
図6は、本発明で提供する知能端末デバイスの一実施例の構造模式図である。図6に示すように、この知能端末デバイスは、図1に示す実施例の方法のステップを実行する。
【００６１】
図6を参照すると、この知能端末デバイスは、ナビアプリ接続モジュール610、第一経路誘導データ獲得モジュール620と経路誘導データ配布モジュール630を含む。
【００６２】
ナビアプリ接続モジュール610は、ナビアプリと接続を構築し、第一経路誘導データ獲得モジュール620は、前記ナビアプリから経路誘導データを獲得し、経路誘導データ配布モジュール630は、前記経路誘導データを特定したデータサービスインターフェースへ配布して、前記データサービスインターフェースに接続した応用デバイスが前記経路誘導データを獲得するようにする。
【００６３】
本発明の実施例で提供する知能端末デバイスは、本デバイスで実行されるナビアプリと接続を構築して経路誘導データを獲得し、経路誘導データをデータサービスインターフェースを介して配布し、データサービスインターフェースに接続した応用デバイスが経路誘導データを獲得するようにして、知能端末デバイスと応用デバイスとの間で経路誘導データサービスに専用するネットワーク方案を提供し、応用デバイスに経路誘導データを提供する。
【００６４】
実施例五
図7は、本発明で提供する知能端末デバイスの他の一実施例の構成模式図であって、図6に示す実施例の詳細な実現構造としてもよく、図5に示す実施例において知能端末デバイスを実行主体とする方法のステップを実行する。
【００６５】
図7を参照すると、この知能端末デバイスは、ナビアプリ接続モジュール610、第一経路誘導データ獲得モジュール620及び経路誘導データ配布モジュール630を含み、これらはそれぞれ図6における相応するモジュールと同じである。
【００６６】
この上で、図7に示す知能端末デバイスには、さらに、前記データサービスインターフェースを介して前記応用デバイスから発送した経路誘導操作命令を受信する経路誘導命令受信モジュール640と、前記ナビアプリと接続を構築し前記経路誘導操作命令を前記ナビアプリに発送して、ナビアプリに経路誘導操作命令を処理させる経路誘導命令転送モジュール650とを含む。
【００６７】
さらに、上記知能端末デバイスは、さらに、データサービスインターフェースを介して応用デバイスが経路誘導サービスを注文する要求を受信し、経路誘導サービスを注文する要求に基づいてデータサービスインターフェースを介して経路誘導データを応用デバイスに発送する注文送受信モジュール660を含む。
【００６８】
本発明の実施例で提供する知能端末デバイスは、図6に示すデバイスの実施例の上で、さらに、受信した経路誘導操作命令に基づいてナビアプリから経路誘導データを獲得し、経路誘導サービスを注文する要求を受信することによって経路誘導を配布する実現方式を示す。これらの機能の増加は、知能端末デバイスから経路誘導データを提供することをより便利で、快速にさせる。
【００６９】
実施例六
図8は、本発明で提供するウェアラブルデバイスの一実施例の構造を示す図で、図2に示す実施例の方法のステップを実行する。
【００７０】
図8を参照すると、このデバイスは、詳細にサービスインターフェース接続モジュール810、第二経路誘導データ獲得モジュール820及び経路誘導実行モジュール830を含む。
【００７１】
サービスインターフェース接続モジュール810は、知能端末デバイスのデータサービスインターフェースと接続を建築し、第二経路誘導データ獲得モジュール820は、データサービスインターフェースを介して経路誘導データを獲得し、前記経路誘導データは知能端末デバイスがナビアプリから獲得したもので、経路誘導実行モジュール830は経路誘導データに基づいて経路誘導を行う。
【００７２】
本発明の実施例で提供するウェアラブルデバイスは、知能端末デバイスのデータサービスインターフェースと接続を構築してから、このデータサービスインターフェースから配布した経路誘導データを獲得し、経路誘導データに基づいてユーザーに経路誘導を行うとともに、知能端末デバイスと応用デバイスとの間で経路誘導データサービスに専用するネットワーク方案を構築して、端末デバイスから経路誘導データを獲得する。
【００７３】
実施例七
図9は、本発明で提供するウェアラブルデバイスの他の一実施例の構造模式図であり、図8に示す実施例の一詳細な実現構造としてもよく、図5に示す実施例における応用デバイスを実行主体とする方法ステップを実行する。
【００７４】
図9を参照すると、このウェアラブルデバイスは、サービスインターフェース接続モジュール810、第二経路誘導データ獲得モジュール820と経路誘導実行モジュール830を含み、それぞれ図8における相応するモジュールと基本的に同じである。
【００７５】
その上で、上記のウェアラブルデバイスは、さらに、ユーザーが入力した経路誘導検索情報を受信する経路誘導検索受信モジュール840と、経路誘導検索情報に基づいて経路誘導操作命令を生成する経路誘導命令生成モジュール850と、経路誘導操作命令を知能端末デバイスのデータサービスインターフェースへ発送する経路誘導命令発送モジュール860とを含む。
【００７６】
さらに、上記のウェアラブルデバイスは、さらに、データサービスインターフェースへ経路誘導データを注文する要求を発送する注文要求発送モジュール870を含み、第二経路誘導データ獲得モジュール820は、さらに、前記データサービスインターフェースを介して前記知能端末デバイスが発送した経路誘導データを受信する。
【００７７】
本発明の実施例で提供するウェアラブルデバイスは、図8に示すデバイスの実施例の上で、さらに経路誘導操作命令を生成し、経路誘導操作命令を利用して経路誘導データを獲得し、経路誘導サービスを注文する要求をデータサービスインターフェースに発送して、経路誘導データを獲得する実現方式を示す。これらのステップの増加は、知能端末デバイスが経路誘導データを獲得することをより便利で、快速にする。
【００７８】
上記の本発明による方法及び装置は、ハードウェア、ファームウェアで実現でき、または記憶媒体（例えばCD ROM、RAM、フリップディスク、HD又は磁気）に記憶できるソフトウェア又はコンピュータコードとして実現でき、またはネットワークを介してダウンロードした元は遠隔記憶媒体又は不発揮性記憶媒体に記憶され且つローカル記憶媒体に記憶したコンピュータコードとして実現でき、ここに記載した方法は、通用のコンピュータ、専用のプロセッサ又はプログラム又は専用ハードウェア（例えばASIC又はFPGA）の記憶媒体に記憶できるこのようなソフトウェアによって処理できる。コンピュータ、プロセッサ、マイクロプロセッサ制御器又はプログラムブルハードウェアは、ソフトウェア又はコンピュータコードを記憶できまたは受信できる記憶部材（例えば、RAM、ROM、フラッシュメモリなど）であってもよく、前記ソフトウェア又はコンピュータコードがコンピュータ、プロセッサ又はハーウェアによってアクセスされ実行される時に、ここで記載の処理方法を実現できる。また、通用コンピュータがここで示す処理のコードを実行する時、コードの実行は、通用のコンピュータをここで示す処理の専用的なコンピュータに転換させる。
【００７９】
以上の記載はただ本発明の詳細な実施形態で、本発明の保護範囲はこれらに限定されていなく、本分野の当業者であれば、ここで開示した技術範囲で、変化又は置換を実施できるのを容易に想到でき、これらは本発明の保護範囲に属すべきである。そのため、本発明の保護範囲は前記請求する保護範囲を基準とする。なお、本明細書によれば、以下の各項目もまた実施形態として開示される。
［項目１］
ナビアプリと接続を構築し、
前記ナビアプリから経路誘導データを獲得し、
前記経路誘導データを特定したデータサービスインターフェースへ配布して、前記データサービスインターフェースに接続した応用デバイスが前記経路誘導データを獲得するようにする
経路誘導方法。
［項目２］
さらに、
前記データサービスインターフェースを介して前記応用デバイスから発送した経路誘導操作命令を受信し、
前記ナビアプリと構築した接続によって、前記経路誘導操作命令を前記ナビアプリへ発送して、前記ナビアプリに前記経路誘導操作命令を処理させる
項目１に記載の経路誘導方法。
［項目３］
さらに、
前記データサービスインターフェースが前記応用デバイスの経路誘導サービスを注文する要求を受信することによって、前記経路誘導サービスを注文する要求に従い前記データサービスインターフェースを介して経路誘導データを応用デバイスへ発送する
項目１又は２に記載の経路誘導方法。
［項目４］
知能端末デバイスのデータサービスインターフェースと接続を建築し、
前記データサービスインターフェースを介して経路誘導データを獲得し、前記経路誘導データは前記知能端末デバイスがナビアプリから獲得したものであり、
前記経路誘導データに基づいて経路誘導を行う
経路誘導方法。
［項目５］
さらに、
ユーザーが入力した経路誘導検索情報を受信し、
前記経路誘導検索情報に基づいて経路誘導操作命令を生成し、
前記経路誘導操作命令を前記知能端末デバイスのデータサービスインターフェースに発送する
項目４に記載の経路誘導方法。
［項目６］
さらに
前記データサービスインターフェースへ経路誘導データを注文する要求を発送し、
前記データサービスインターフェースを介して前記知能端末デバイスが発送した経路誘導データを受信する
項目４又は５に記載の経路誘導方法。
［項目７］
ナビアプリと接続を構築するナビアプリ接続モジュールと、
前記ナビアプリから経路誘導データを獲得する経路誘導データ獲得モジュールと、
前記経路誘導データを特定したデータサービスインターフェースへ配布して、前記データサービスインターフェースに接続した応用デバイスが前記経路誘導データを獲得するようにする経路誘導データ配布モジュールとを含む
知能端末デバイス。
［項目８］
さらに、
前記データサービスインターフェースを介して前記応用デバイスから発送した経路誘導操作命令を受信する経路誘導命令受信モジュールと、
前記ナビアプリと構築した接続によって、前記経路誘導操作命令を前記ナビアプリへ発送して、前記ナビアプリに前記経路誘導操作命令を処理させる経路誘導命令転送モジュールとを含む
項目７に記載の知能端末デバイス。
［項目９］
さらに、
前記データサービスインターフェースが前記応用デバイスの経路誘導サービスを注文する要求を受信することによって、前記経路誘導サービスを注文する要求に従い前記データサービスインターフェースを介して経路誘導データを応用デバイスへ発送する注文送受信モジュールを含む
項目７又は８に記載の知能端末デバイス。
［項目１０］
知能端末デバイスのデータサービスインターフェースと接続を建築するサービスインターフェース接続モジュールと、
前記データサービスインターフェースを介して前記知能端末デバイスがナビアプリから獲得した経路誘導データを獲得する経路誘導データ獲得モジュールと、
前記経路誘導データに基づいて経路誘導を行う経路誘導実行モジュールとを含む
ウェアラブルデバイス。
［項目１１］
さらに、
ユーザーが入力した経路誘導検索情報を受信する経路誘導検索受信モジュールと、
前記経路誘導検索情報に基づいて経路誘導操作命令を生成する経路誘導命令生成モジュールと、
前記経路誘導操作命令を前記知能端末デバイスのデータサービスインターフェースに発送する経路誘導命令発送モジュールとを含む
項目１０に記載のウェアラブルデバイス。
［項目１２］
さらに、
前記データサービスインターフェースへ経路誘導データを注文する要求を発送する注文要求発送モジュールを含み、
前記経路誘導データ獲得モジュールは、さらに前記データサービスインターフェースを介して前記知能端末デバイスが発送した経路誘導データを受信する
項目１０又は１１に記載のウェアラブルデバイス。
【図１】
0006380812.tif 000002
【図２】
0006380812.tif 000003
【図３】
0006380812.tif 000004
【図４】
0006380812.tif 000005
【図５】
0006380812.tif 000006
【図６】
0006380812.tif 000007
【図７】
0006380812.tif 000008
【図８】
0006380812.tif 000009
【図９】
0006380812.tif 000010